(57)【要約】【課題】省エネ性、利便性の向上を両立させることができる電気掃除機を提供する。【解決手段】電動送風機５と、塵埃を捕集する集塵装置６と、掃除機本体１（以下「本体１」という）の下部に取り付けられ被清掃面の塵埃を吸引する床用吸込具２と、一端が掃除機本体１に取り付けられたホース３の他端に一端が取り付けられ吸込口（図示せず）を有する延長管４と、本体１に設けられ、延長管４が着脱自在に収納される延長管収納部１ｆと、本体１と延長管４との装着の有無を検出する第１の検出部Ａと、本体１の動作状態を検出する第２の検出部Ｂと、第１の検出部Ａ及び第２の検出部Ｂの検出結果に基づき、電動送風機５を制御する制御手段（図示せず）とを備え、延長管４が本体１に装着され、かつ本体１が収納状態のときは電動送風機５を停止させ、延長管４が本体１から取り外されまたは本体１が使用状態のときに、電動送風機５を駆動させる。【選択図】図１
2014121355.tif 000002
【特許請求の範囲】
【請求項１】
吸引風を発生させる電動送風機を内蔵する掃除機本体と、前記掃除機本体に取り付けられ、前記電動送風機で発生された吸引風によって吸引された塵埃を捕集する集塵装置と、前記掃除機本体の下部に取り付けられ、被清掃面の塵埃を吸引する床用吸込具と、一端が前記掃除機本体に取り付けられたホースと、一端が前記ホースの他端に取り付けられ吸込口を有する延長管と、前記掃除機本体に設けられ、前記延長管が着脱自在に収納される延長管収納部と、前記延長管収納部に設けられ、前記掃除機本体と前記延長管との装着の有無を検出する第１の検出部と、前記掃除機本体または前記床用吸込具に設けられ、前記掃除機本体の動作状態を検出する第２の検出部と、前記第１の検出部及び前記第２の検出部の検出結果に基づき、前記電動送風機を制御する制御手段とを備え、前記制御手段は、前記第１の検出部によって前記延長管が前記掃除機本体に装着されていることが検出され、かつ、前記第２の検出部によって前記掃除機本体が収納状態であることが検出された場合には、前記電動送風機を停止させるとともに、前記第１の検出部によって前記延長管が前記掃除機本体から取り外されていることが検出された場合、または、前記第２の検出部によって前記掃除機本体が使用状態であることが検出された場合には、前記電動送風機を駆動させることを特徴とする電気掃除機。
【請求項２】
延長管収納部には、延長管が前記延長管収納部に収納された状態で前記延長管と当接し、前記掃除機本体との気密性を保持するシール部材を設け、第１の検出部を前記シール部材よりも上方に配置した請求項１に記載の電気掃除機。
【請求項３】
第１の検出部を延長管収納部の収納口の近傍に配置した請求項１または２に記載の電気掃除機。
【請求項４】
第２の検出部を掃除機本体の床用吸込具に当接する位置に配置した請求項１〜３の何れか１項に記載の電気掃除機。
【請求項５】
第１の検出部と第２の検出部の少なくとも一方に光学式スイッチを用いた請求項１〜４のうち何れか１項に記載の電気掃除機。
【発明の詳細な説明】
【技術分野】
【０００１】
本発明は、電気掃除機に関するもので、特に、縦型の電気掃除機に関するものである。
【背景技術】
【０００２】
従来の縦型の電気掃除機は、電気掃除機の運転状態に関わらず、常に電気掃除機が運転状態で維持されるため、省エネ性が悪いという問題があった（例えば、特許文献１参照）。そこで、前記特許文献１に記載された従来の電気掃除機の省エネ性を向上させるべく、電気掃除機の使用状態に応じて電動送風機を制御する構成が提案されている（例えば、特許文献２参照）。
【０００３】
すなわち、前記特許文献２に記載された従来の電気掃除機においては、収納状態時には、掃除機本体が第１の吸込口を有する吸込具（以下床用吸込具）に対してほぼ垂直な状態であり、床面の掃除時には、掃除機本体は、収納時に対して傾くことになる。そこで電動送風機の運転操作手段が収納時においては掃除機本体内の電気回路を電気的にＯＦＦの状態にし、床面掃除時において掃除機本体が傾きをもつことにより自動的に電気回路をＯＮにするように構成されている。
【先行技術文献】
【特許文献】
【０００４】
【特許文献１】特開２００８−８００４３号公報
【特許文献２】特開平３−２８０９１４号公報
【発明の概要】
【発明が解決しようとする課題】
【０００５】
しかしながら、単に、上述の特許文献１に記載された従来の電気掃除機に上述の特許文献２に記載された技術を組み合わせただけでは、電気掃除機の使い勝手を向上させるという観点からは未だ改善の余地があった。
【０００６】
上述の特許文献１に記載された電気掃除機では、電気掃除機を収納状態にした状態で第２の吸込口を有する延長管（隙間用吸込具）を取り外して掃除すること。また、特許文献２に記載の電気掃除機では、電気掃除機の収納状態で電動送風機が停止状態であること。そのため、特許文献１に記載の電気掃除機に特許文献２に記載の電気掃除機を組み合わせた場合、使用者が掃除機本体から延長管を取り外して掃除を行う際、電動送風機が停止状態であるため、使用者が延長管を取り外して掃除が行うことができず、使い勝手が悪いという課題があった。
【０００７】
本発明は、上記従来の課題を解決するものであり、収納状態では、電動送風機を停止させ、延長管を掃除機本体から取り外した場合（隙間用吸込具での掃除時）、または、掃除機本体が使用状態（床用吸込具での掃除時）であるとき電動送風機を駆動することができ、省エネ性、利便性の向上を両立させることができる電気掃除機を提供することを目的とする。
【課題を解決するための手段】
【０００８】
上記従来の課題を解決するために、本発明の電気掃除機は、吸引風を発生させる電動送風機を内蔵する掃除機本体と、前記掃除機本体に取り付けられ、前記電動送風機で発生された吸引風によって吸引された塵埃を捕集する集塵装置と、前記掃除機本体の下部に取り付けられ、被清掃面の塵埃を吸引する床用吸込具と、一端が前記掃除機本体に取り付けら
れたホースと、一端が前記ホースの他端に取り付けられ吸込口を有する延長管と、前記掃除機本体に設けられ、前記延長管が着脱自在に収納される延長管収納部と、前記延長管収納部に設けられ、前記掃除機本体と前記延長管との装着の有無を検出する第１の検出部と、前記掃除機本体または前記床用吸込具に設けられ、前記掃除機本体の動作状態を検出する第２の検出部と、前記第１の検出部及び前記第２の検出部の検出結果に基づき、前記電動送風機を制御する制御手段とを備え、前記制御手段は、前記第１の検出部によって前記延長管が前記掃除機本体に装着されていることが検出され、かつ、前記第２の検出部によって前記掃除機本体が収納状態であることが検出された場合には、前記電動送風機を停止させるとともに、前記第１の検出部によって前記延長管が前記掃除機本体から取り外されていることが検出された場合、または、前記第２の検出部によって前記掃除機本体が使用状態であることが検出された場合には、前記電動送風機を駆動させるもので、収納状態では、電動送風機を停止させ、延長管を掃除機本体から取り外して隙間用吸込具として掃除をする時、または、掃除機本体が使用状態（床用吸込具での掃除時）であるとき電動送風機を駆動させるので、省エネ性、利便性の向上を両立させることができる。
【発明の効果】
【０００９】
本発明の電気掃除機は、収納状態では、電動送風機を停止させ、延長管を掃除機本体から取り外した場合（隙間用吸込具での掃除時）、または、掃除機本体が使用状態（床用吸込具での掃除時）であるとき電動送風機を駆動させるので、省エネ性、利便性の向上を両立させることができる。
【図面の簡単な説明】
【００１０】
【図１】本発明の実施の形態１における電気掃除機の床用吸込具の使用状態での斜め前方からの斜視図
【図２】同電気掃除機の収納状態での風路および空気の流れを示す右断面図
【図３】同電気掃除機の風路および空気の流れを示す背面断面図
【図４】同電気掃除機の掃除機本体の風路および空気の流れを示す右断面図
【図５】同電気掃除機の集塵装置の斜め後方からの斜視図
【図６】同電気掃除機の収納状態時の右断面図
【図７】同電気掃除機の延長管の使用時の右断面図
【図８】同電気掃除機の床用吸込具の使用状態時の右断面図
【図９】（ａ）同電気掃除機の延長管収納時の第１の検出部の拡大右断面図、（ｂ）同電気掃除機の延長管を取り外した時の第１の検出部の拡大右断面図
【図１０】（ａ）同電気掃除機の収納状態での第２の検出部の拡大右断面図、（ｂ）同電気掃除機の床面清掃時の第２の検出部の拡大右断面図
【図１１】同電気掃除機の収納状態時の回路例図
【図１２】（ａ）同電気掃除機の延長管収納時の他の例を示す第１の検出部の拡大右断面図、（ｂ）同電気掃除機の延長管を取り外した状態での他の例を示す第１の検出部の拡大右断面図
【図１３】（ａ）同電気掃除機の収納状態時の他の例を示す第２の検出部の拡大右断面図、（ｂ）同電気掃除機の床面清掃時の他の例を示す第２の検出部の拡大右断面図
【図１４】同電気掃除機の他の例を示す回路例図
【図１５】収納状態における同第１の検出部の位置を示す右断面図
【図１６】延長管を取り外した状態における同第１の検出部の位置を示す右断面図
【発明を実施するための形態】
【００１１】
第１の発明は、吸引風を発生させる電動送風機を内蔵する掃除機本体と、前記掃除機本体に取り付けられ、前記電動送風機で発生された吸引風によって吸引された塵埃を捕集する集塵装置と、前記掃除機本体の下部に取り付けられ、被清掃面の塵埃を吸引する床用吸込具と、一端が前記掃除機本体に取り付けられたホースと、一端が前記ホースの他端に取
り付けられ吸込口を有する延長管と、前記掃除機本体に設けられ、前記延長管が着脱自在に収納される延長管収納部と、前記延長管収納部に設けられ、前記掃除機本体と前記延長管との装着の有無を検出する第１の検出部と、前記掃除機本体または前記床用吸込具に設けられ、前記掃除機本体の動作状態を検出する第２の検出部と、前記第１の検出部及び前記第２の検出部の検出結果に基づき、前記電動送風機を制御する制御手段とを備え、前記制御手段は、前記第１の検出部によって前記延長管が前記掃除機本体に装着されていることが検出され、かつ、前記第２の検出部によって前記掃除機本体が収納状態であることが検出された場合には、前記電動送風機を停止させるとともに、前記第１の検出部によって前記延長管が前記掃除機本体から取り外されていることが検出された場合、または、前記第２の検出部によって前記掃除機本体が使用状態であることが検出された場合には、前記電動送風機を駆動させるもので、収納状態では、電動送風機を停止させ、延長管を掃除機本体から取り外して隙間用吸込具として掃除をする時、または、掃除機本体が使用状態（床用吸込具での掃除時）であるとき電動送風機を駆動させるので、省エネ性、利便性の向上を両立させることができる。
【００１２】
第２の発明は、特に、第１の発明の延長管収納部には、延長管が前記延長管収納部に収納された状態で前記延長管と当接し、前記掃除機本体との気密性を保持するシール部材を設け、第１の検出部を前記シール部材よりも上方に配置したもので、第１の検出部からの吸引風の漏れを防ぐことができる。
【００１３】
第３の発明は、特に、第１又は第２の発明の第１の検出部を延長管収納部の収納口の近傍に配置したもので、掃除機本体から延長管を取り外す場合、延長管が延長管収納部から抜けるまで電動送風機の駆動を遅らせ、電動送風機で発生された吸引風による延長管の吸い付きを軽減することができ、延長管の取り外しの容易化が図れる。
【００１４】
第４の発明は、特に、第１〜３のいずれか一つの発明の第２の検出部を掃除機本体の床用吸込具に当接する位置に配置したもので、床用吸込具側の配線が不要となり、配線の簡略化、組立作業の容易化が図れる。
【００１５】
第５の発明は、特に、第１〜４のいずれか一つの発明の第１の検出部と第２の検出部の少なくとも一方に光学式スイッチを用いたもので、同様の効果が得られ、更に制御基板による入力制御をすることにより、第１の検知部、第２の検知部のＯＮ／ＯＦＦ情報をもとに細かな電動送風機の駆動制御が可能となる。例えば、床用吸込具、隙間用吸込具の両方を使用した場合、電動送風機を停止させるなど細かな制御が可能となり、更なる省エネ性、利便性の向上が図れる。
【００１６】
以下、本発明の実施の形態について、図面を参照しながら説明する。なお、この実施の形態によってこの発明が限定されるものではない。
【００１７】
（実施の形態１）
本発明の第１の実施の形態における電気掃除機について、図１〜１６を用いて説明する。
【００１８】
図１は、本発明の実施の形態１における電気掃除機の床用吸込具の使用状態での斜め前方からの斜視図である。
【００１９】
図１〜３において、本実施の形態における電気掃除機は、吸引風を発生させる電動送風機５を内蔵する掃除機本体１と、掃除機本体１に取り付けられ、電動送風機５で発生された吸引風によって吸引された塵埃を捕集する集塵装置６と、掃除機本体１の下部に取り付けられ、被清掃面の塵埃を吸引する床用吸込口２ａを有する床用吸込具２と、一端が掃除
機本体１に取り付けられたホース３と、一端がホース３の他端に取り付けられるとともに隙間用吸込口４ｂを有して隙間用吸込具としても使える延長管４と、掃除機本体１に設けられ、延長管４が着脱自在に収納される延長管収納部１ｆと、延長管収納部１ｆに設けられ、掃除機本体１と延長管４との装着の有無を検出する第１の検出部Ａと、掃除機本体１または床用吸込具２に設けられ、掃除機本体１の動作状態を検出する第２の検出部Ｂと、第１の検出部Ａ及び第２の検出部Ｂの検出結果に基づき、電動送風機５を制御する制御手段（図示せず）とを備えている。
【００２０】
延長管４の上部には、電気掃除機を移動操作する際に握るハンドル４ａが設けられている。また掃除機本体１の上面には、電気掃除機の運転をＯＮ／ＯＦＦするときに使用する操作部７が設けられている。
【００２１】
制御手段は、第１の検出部Ａによって延長管４が掃除機本体１に装着されていることが検出され、かつ、第２の検出部Ｂによって掃除機本体１が収納状態であることが検出された場合には、電動送風機５を停止させるとともに、第１の検出部Ａによって延長管４が掃除機本体１から取り外されていることが検出された場合、または、第２の検出部Ｂによって掃除機本体１が使用状態であることが検出された場合には、電動送風機５を駆動させる。
【００２２】
図２〜図５を用いて、風路および空気の流れについて説明をする。
【００２３】
図２は、同電気掃除機の収納状態での風路および空気の流れを示す右断面図、図３は、同電気掃除機の風路および空気の流れを示す背面断面図、図４は、同電気掃除機の掃除機本体の風路および空気の流れを示す右断面図、図５は、同電気掃除機の集塵装置の斜め後方からの斜視図である。
【００２４】
床用吸込具２の床用吸込口２ａから吸い込まれた塵埃の混ざった空気Ｐ１は、流量調整部２ｂを通り、合流部１ｃに達する。同様に延長管４の隙間用吸込口４ｂから吸い込まれた塵埃の混ざった空気Ｐ２も、ホース３を通り、合流部１ｃに達する。合流部１ｃと集塵装置６の吸気口Ｂ６ｂとは連通しており、塵埃は、メッシュフィルター６ｃ及びプリーツフィルター６ｄによって塵埃と空気とに分離させる。集塵装置６の吸気口Ａ６ａと電動送風機５は、掃除機本体１の後方の略上端から略下にかけて形成された風路１ｄで連通されており、集塵装置６にて分離させた清浄な空気Ｐ３は、電動送風機５へ吸引させる。
【００２５】
また、電動送風機５から排出される排気風Ｐ４は、掃除機本体１の後方に形成された排気格子１ｅを通じ外部へと排出される。
【００２６】
図２は、掃除機本体１の収納状態を示しており、掃除機本体１が床用吸込具２に対してほぼ垂直な状態であり、このとき、床用吸込具２は、流量調整部２ｂの面積を狭めることにより、流路を塞いでいる。また、隙間用吸込口４ｂにおいても、延長管４が延長管収納部１ｆに収納された状態で延長管４と当接し、掃除機本体１との気密性を保持するシール部材１ｇを設けており隙間用吸込口４ｂの流路を塞いでいる。
【００２７】
図６〜図１１を用いて、検出部と電動機の動作について説明する。
【００２８】
図６は、同電気掃除機の収納状態時の右断面図、図７は、同電気掃除機の延長管の使用時の右断面図、図８は、同電気掃除機の床用吸込具の使用状態時の右断面図、図９（ａ）は、同電気掃除機の延長管収納時の第１の検出部の拡大右断面図、図９（ｂ）は、同電気掃除機の延長管を取り外した時の第１の検出部の拡大右断面図、図１０（ａ）は、同電気掃除機の収納状態での第２の検出部の拡大右断面図、図１０（ｂ）は、同電気掃除機の床
面清掃時の第２の検出部の拡大右断面図、図１１は、同電気掃除機の収納状態時の回路例図である。
【００２９】
図９のように、第１の検出部Ａは、延長管収納部１ｆの壁面に出没する可動部品８と、可動部品８の内壁面に設けられた圧縮バネ９と、可動部品８により動作するスイッチ１０を有しており、延長管４が掃除機本体１の延長管収納部１ｆに収納された状態では、第１の検出部Ａは、図９（ａ）のように延長管４の外郭により、可動部品８が左方向に移動し、可動部品８の凸部８ａとスイッチレバー１０ａによりスイッチ１０が動作する。また、延長管４を掃除機本体１の延長管収納部１ｆから取り外した場合、図９（ｂ）のように可動部品８が圧縮バネ９により右方向に移動し、スイッチ１０は戻る。
【００３０】
図１０のように、第２の検出部Ｂは、掃除機本体１の外郭に出没する可動部品１１と、可動部品１１の内壁面に設けられた圧縮バネ１２と、可動部品１１により動作するスイッチ１３を有しており、掃除機本体１が収納状態（図１０（ａ）に示す状態）では、掃除機本体１は、床面に対しほぼ垂直に床用吸込具２の上に立っている。そのため、床用吸込具２と掃除機本体１との間には空間が少ないか又は隙間が無い状態のため、第２の検出部Ｂは、図１０（ａ）のように床用吸込具２の外郭により、可動部品１１が上方向に移動し、可動部品の延出部１１ａとスイッチレバー１３ａによりスイッチ１３は動作する。
【００３１】
また、掃除機本体１が使用状態の場合、図１０（ｂ）のように可動部品１１が圧縮バネ１２により下方向に移動し、スイッチ１３は戻る。第２の検出部Ｂは、床用吸込具２側に設けても良いが、掃除機本体１の床用吸込具２に当接する位置に配置することにより、床用吸込具２側の配線が不要となり、配線の簡略化、組立作業の容易化が図れる。
【００３２】
図１１は、電気掃除機の収納状態時の回路図例を示しており、電源のＯＮ／ＯＦＦは操作部７により行い、第１の検出部Ａと第２の検出部Ｂの接点は、ｂ接点で並列に接続されており、第１の検出部Ａと第２の検出部Ｂのどちらか一方の接点に通電した場合、電動送風機５を駆動させる。回路図は、収納状態時を示しており、第１の検出部Ａ、第２の検出部Ｂ共に通電は無く、電動送風機５は停止している。なお、操作部７は省略してもかまわない。
【００３３】
図６は、収納状態時の右断面図であり、第１の検出部Ａ、第２の検出部Ｂは、それぞれ図９（ａ）、図１０（ａ）の状態であり、第１の検出部Ａ、第２の検出部Ｂ共に通電は無く、電動送風機５は停止している。
【００３４】
図７は、延長管４使用状態時の右断面図であり、第１の検出部Ａ、第２の検出部Ｂは、それぞれ図９（ｂ）、図１０（ａ）の状態であり、第１の検出部Ａの通電により、電動送風機５は駆動する。
【００３５】
図８は、床用吸込具２の使用状態時の右断面図であり、第１の検出部Ａ、第２の検出部Ｂは、それぞれ図９（ａ）、図１０（ｂ）の状態であり、第２の検出部Ｂの通電により、電動送風機５は駆動する。
【００３６】
また、図１２〜図１４に示すように、第１の検出部Ａのスイッチ１０、第２の検出部Ｂのスイッチ１３を光学式スイッチにしても同様の効果が得られ、更に制御基板による入力制御をすることにより、第１の検出部Ａ、第２の検出部ＢのＯＮ／ＯＦＦ情報をもとに細かな電動送風機５の駆動制御が可能となる。例えば、床用吸込具２、延長管４の両方を使用した場合、電動送風機５を停止させるなど細かな制御が可能となり、更なる省エネ性、利便性の向上が図れる。
【００３７】
図１５に示すように、延長管収納部１ｆには、延長管４が延長管収納部１ｆに収納された状態で延長管４と当接し、掃除機本体１との気密性を保持するシール部材１ｇが設けており、第１の検出部Ａは、シール部材１ｇよりも上方に配置することにより、第１の検出部Ａからの吸引風の漏れを防ぐことができる。
【００３８】
また、図１６に示すように第１の検出部Ａは、延長管収納部１ｆの収納口の近傍に配置することにより、掃除機本体１から延長管４を取り外す場合、延長管４が延長管収納部１ｆから抜けるまで電動送風機５の駆動を遅らせることにより、電動送風機５で発生された吸引風による延長管４の吸い付きを軽減することができ、延長管４の取り外しの容易化が図れる。なお、第１の検出部Ａの取り付け位置Ｌ２と延長管収納部１ｆの筒長さＬ１の関係は、Ｌ２≧Ｌ１が望ましい。
【産業上の利用可能性】
【００３９】
以上のように、本発明にかかる電気掃除機は、省エネ性、利便性の向上を両立させることができるもので、家庭用、業務用、店舗用などの各種電気掃除機等に適用できる。
【符号の説明】
【００４０】
１  掃除機本体
１ｃ  合流部
１ｄ  風路
１ｅ  排気格子
１ｆ  延長管収納部
１ｇ  シール部材
２  床用吸込具
２ａ  床用吸込口
２ｂ  流量調整部
３  ホース
４  延長管
４ａ  ハンドル
４ｂ  隙間用吸込口（吸込口）
５  電動送風機
６  集塵装置
６ａ  吸気口Ａ
６ｂ  吸気口Ｂ
６ｃ  メッシュフィルター
６ｄ  プリーツフィルター
７  操作部
８  可動部品（第１の検出部用）
９  圧縮バネ（第１の検出部用）
１０  スイッチ（第１の検出部用）
１０ａ  スイッチレバー（第１の検出部用）
１１  可動部品（第２の検出部用）
１２  圧縮バネ（第２の検出部用）
１３  スイッチ（第２の検出部用）
１３ａ  スイッチレバー（第２の検出部用）
Ａ  第１の検出部
Ｂ  第２の検出部
Ｐ１、Ｐ２、Ｐ３  空気
Ｐ４  排気風
【図１】
2014121355.tif 000003
【図２】
2014121355.tif 000004
【図３】
2014121355.tif 000005
【図４】
2014121355.tif 000006
【図５】
2014121355.tif 000007
【図６】
2014121355.tif 000008
【図７】
2014121355.tif 000009
【図８】
2014121355.tif 000010
【図９】
2014121355.tif 000011
【図１０】
2014121355.tif 000012
【図１１】
2014121355.tif 000013
【図１２】
2014121355.tif 000014
【図１３】
2014121355.tif 000015
【図１４】
2014121355.tif 000016
【図１５】
2014121355.tif 000017
【図１６】
2014121355.tif 000018